(57)【要約】      （修正有）【課題】細めの枠体と美的外観とを有した映写スクリーン保持枠構造体を提供する。【解決手段】保持枠構造体は主枠体１、外枠体２、隙間、および複数の弾性部材３を有している。主枠体は長方形であり、２本の横主枠ロッド１０Ａ、２本の縦主枠ロッド１０Ｂ、４つのＬ形接続要素１１、および複数の主枠固定留具を有している。Ｌ形接続要素は横主枠ロッドと縦主枠ロッドの４つの接続部分にそれぞれ配置され、主枠固定留具で主枠ロッドを互いに接続している。外枠体は複数の外枠留具で主枠体の周囲に取り付けられており、２本の横外枠ロッドと、２本の縦外枠ロッドにより構成されている。隙間は外枠体と主枠体の間に形成されている。弾性部材は主枠体と外枠体の間に配置され、主枠体に接続されている。【選択図】図１
2019128579.tif 000002
【特許請求の範囲】
【請求項１】
映写スクリーン保持構造体において、
長方形の主枠体であって、
２本の横主枠ロッド、および前記主枠体に広げられた状態で映写スクリーンを保持するよう、前記２本の横主枠ロッドに接続される２本の縦主枠ロッドと、
前記２本の横主枠ロッドと２本の縦主枠ロッドとを接続するよう、当該２本の横主枠ロッドおよび２本の縦主枠ロッドの４つの接続部分にそれぞれ配置された４つのＬ形接続要素と、
前記Ｌ形接続要素、２本の横主枠ロッドおよび２本の縦主枠ロッドに固定的に接続された複数の主枠固定留具と、
を含んだ主枠体と、
複数の外枠留具によって前記主枠体の周囲に取り付けられており、２本の横外枠ロッドと２本の縦外枠ロッドで構成されている外枠体であって、前記２本の横外枠ロッドは、当該２本の横外枠ロッドと、前記Ｌ形接続要素の対応する２つの外面にそれぞれ固定されており、前記２本の縦外枠ロッドは前記２本の縦主枠ロッドと、前記Ｌ形接続要素の対応する２つの外面にそれぞれ固定されている外枠体と、
前記映写スクリーンを通過させる前記外枠体と主枠体との間に形成されている隙間と、
前記主枠体と外枠体との間に配置され、前記映写スクリーンの周囲に接続されるよう、前記主枠体に接続されている複数の弾性部材と、
を含んでいる映写スクリーン保持構造体。
【請求項２】
前記主枠体の２本の横主枠ロッドと２本の縦主枠ロッドはそれぞれ少なくとも１つの主ロッド要素を含んでおり、
前記２本の横主枠ロッドと２本の縦主枠ロッドのそれぞれの前記少なくとも１つの主ロッド要素のそれぞれは、
内側縁部を有し、湾曲すると共に、自身の後側部から突き出ている外側縁部を有している主ロッド本体と、
前記主ロッド本体に形成されている接続孔部と、
前記主ロッド本体の後側部に形成されている保持スペースと、
前記内側縁部に隣接した位置で、前記主ロッド本体の後側部に形成されている接続溝部と、
を含んでおり、
前記弾性部材は、前記２本の横主枠ロッドと２本の縦主枠ロッドの主ロッド要素の主ロッド本体の前記保持スペース内に保持され、
それぞれのＬ形接続要素は、
正方形で、自身の対角線の２つの端部にそれぞれ形成されている内角部と外角部とを有した基部セグメント部と、
前記内角部に隣接している前記基部セグメント部の２つの側縁部にそれぞれ接続されており、前記Ｌ形接続要素に接続されている前記主枠ロッドの２つの主ロッド要素の主ロッド本体内の前記接続孔部内に、それぞれ挿入されている２本の接続アーム部と、
前記基部セグメント部の後側部から突き出すように形成され、前記基部セグメント部の外角部から内角部に向けて延びている支持セグメント部と、
を含んでおり、
前記外枠体の２本の横外枠ロッドと２本の縦外枠ロッドのそれぞれは、４５°の傾斜端縁部をそれぞれ有した２つの端部を備えると共に、少なくとも１つの外ロッド要素を含んでおり、
前記２本の横外枠ロッドと２本の縦外枠ロッドの前記少なくとも１つの外ロッド要素のそれぞれは、
２つの側縁部を有した外ロッド本体と、
当該外ロッド本体の２つの側縁部の１つで前記外ロッド本体の前側部から突き出すように形成されており、前記外ロッド本体の反対側に湾曲した前端部を有している装飾ボードと、
当該装飾ボードの反対側の前記外ロッド本体の他方の側縁部で、前記外ロッド本体の前側部から突き出すように形成されており、前記２本の横主枠ロッドと２本の縦主枠ロッドの主ロッド要素の対応する１つに存在する接続溝部に挿入されている接続ボードと、
前記装飾ボードに隣接する位置にて前記外ロッド本体の前側部から突き出すように形成されている接触セグメント部と、
を含んでおり、
それぞれのＬ形接続要素の支持セグメント部は、前記２本の横外枠ロッドと２本の縦外枠ロッドの外ロッド要素の２つが有する端部に接触しており、
前記外枠留具は、前記２本の横外枠ロッドと２本の縦外枠ロッドの外ロッド要素の端部および前記Ｌ形接続要素に接続されており、
前記隙間は、前記２本の横外枠ロッドと２本の縦外枠ロッドの外ロッド要素の装飾ボードと、前記２本の横主枠ロッドと２本の縦主枠ロッドの主ロッド要素の外側縁部との間に形成されている、請求項１記載の映写スクリーン保持構造体。
【請求項３】
前記２本の横主枠ロッドと２本の縦主枠ロッドのそれぞれは、複数の主ロッド要素と、前記主枠ロッドの主ロッド要素間に配置される少なくとも１つのＴ形接続要素とを含んで、前記主ロッド要素を互いに接続しており、
複数の接続ロッドが、前記２本の横主枠ロッドと２本の縦主枠ロッドの対応するＴ形接続要素間でそれぞれ接続されている、請求項２記載の映写スクリーン保持構造体。
【請求項４】
前記２本の横主枠ロッドと２本の縦主枠ロッドのそれぞれの少なくとも１つのＴ形接続要素のそれぞれは、
長方形で、尚且つ４つの側縁部と、自身の後側部に形成されている２つの支持突起部とを有した主本体を含んでおり、それぞれの支持突起部は、前記Ｔ形接続要素に接続されている主ロッド要素の対応する１つを通して取り付けられているボルトに接続されている接続孔部を有しており、
さらに、前記主本体の４つの側縁部のうちの３つから延びるように形成される３つのアーム部を含んでおり、当該３つのアーム部は、相対する２つのアーム部と１つの中央アーム部であり、前記相対する２つのアーム部は前記Ｔ形接続要素で接続されている主ロッド要素の２つが有する接続孔部内にそれぞれ挿入されており、
前記中央アーム部は前記Ｔ形接続要素で接続されている接続ロッドに接続されている、
請求項３記載の映写スクリーン保持構造体。
【請求項５】
前記外枠体は、当該外枠体の４つの角部にそれぞれ取り付けられている４つのＬ形の角部保護具をさらに含んで、当該角部保護具内に前記外枠体の２本の横外枠ロッドと２本の縦外枠ロッドの傾斜端縁部を有した端部を保持している、請求項２から４のいずれかに記載の映写スクリーン保持構造体。
【請求項６】
前記弾性部材のそれぞれはスプリングであり、
前記主枠体は、当該主枠体の前記２本の横主枠ロッドと２本の縦主枠ロッドの主ロッド要素に取り付けられ、前記弾性部材にそれぞれ接続されている複数の接続フック部をさらに含んでいる、請求項２から５のいずれかに記載の映写スクリーン保持構造体。
【請求項７】
前記主枠体の２つの横主枠ロッドに接続されている複数の支持部材をさらに含んでおり、それぞれの支持部材は、
２つの相対する位置にある側縁部を有した主セグメント部と、
当該主セグメント部の２つの相対する位置にある側縁部の１つから上方に延びるように形成され、前記２本の横主枠ロッドの対応する１本の前記少なくとも１つの主ロッド要素の対応する一つの内側縁部内に形成されている開口部内に延び入り、対応する主ロッド要素の主ロッド本体の内面に接触している接触セグメント部と、
当該接触セグメント部とは反対側で前記主セグメント部の他方の側縁部から下方に延びるように形成され、複数の固定貫通孔部を有している固定セグメント部と、
を含んでいる、請求項２から４のいずれかに記載の映写スクリーン保持構造体。
【請求項８】
それぞれのＬ形接続要素は、当該Ｌ形接続要素の基部セグメント部の後側部に形成されており、前記外枠体の２本の横外枠ロッドと２本の縦外枠ロッドの対応する２つの端部にそれぞれ接触する２つの接触突起部をさらに有しており、それぞれの接触突起部は螺子孔部を有している、請求項２から４のいずれかに記載の映写スクリーン保持構造体。
【請求項９】
それぞれの弾性部材はスプリングであり、
前記主枠体は、当該主枠体の２本の横主枠ロッドと２本の縦主枠ロッドの主ロッド要素に取り付けられ、前記弾性部材にそれぞれ接続されている複数の接続フック部をさらに含んでおり、
それぞれのＬ形接続要素は、当該Ｌ形接続要素の基部セグメント部の後側部に形成されており、前記弾性部材の２つにそれぞれ接続されている２つのスプリング孔部を有したスプリングマウントをさらに有している、
請求項８記載の映写スクリーン保持構造体。
【請求項１０】
それぞれのＬ形接続要素は、
当該Ｌ形接続要素の基部セグメント部の後側部に形成されている整合線を含んでおり、当該整合線は、当該整合線に隣接する基部セグメント部の側縁部の１つに直角であり、
さらに前記Ｌ形接続要素の基部セグメント部の後側部に形成されている傾斜線を含んでおり、当該傾斜線は、当該傾斜線に隣接する基部セグメント部の側縁部の１つに対して４５°の角度で傾斜している、
請求項９記載の映写スクリーン保持構造体。
【発明の詳細な説明】
【技術分野】
【０００１】
本発明は映写スクリーン保持枠構造体に関し、特には組立式映写スクリーン保持枠構造体に関する。
【背景技術】
【０００２】
プロジェクタ（映写機）で動画を映写するため、動画を映す映写スクリーンが広く利用されている。映写スクリーンは軟かい材料で製造されているため、映写スクリーンは利用のために保持枠によって平坦面となるよう広げられなければならない。
【０００３】
従来の映写スクリーン保持枠は映写スクリーンのサイズに合わせたサイズ（大きさ）を有している。しかしながら、映写スクリーンの周囲を囲む従来の映写スクリーン保持枠の外縁部は幅広であり、従来の保持枠は運搬および保管の観点からは不便な大きなサイズを有している。加えて、大きなサイズの保持枠は重力の影響で容易に変形し、変形した保持枠に取り付けられた映写スクリーンは皺のない平坦な状態にはならない。
【０００４】
従来の保持枠の変形を防止するため、大きなサイズの従来の保持枠は大抵の場合は大きな構造的強度を有した材料で製造されており、従来の保持枠の外観は美的とは言えないものである。
【０００５】
加えて、従来の保持枠は実質的に２本の横枠ロッド（長尺体）と、それら２本の横枠ロッドに接続された２本の縦枠ロッドとで構成されている。それぞれの枠ロッドは４５°で傾斜した２つの端部を有している。複数のＬ形接続要素（部材）が枠ロッド間に取り付けられ、枠ロッド同士を留具によって接続している。しかし、枠ロッドの傾斜端部が正確な角度で形成されていなければ、枠ロッド間の組み合わせ部分には隙間が形成される。さらに、従来の保持枠には、ユーザに怪我を負わせるかも知れないような鋭角の角部が形成されるであろう。
【０００６】
それら欠点を克服するため、本発明は、上述の問題を緩和または除去するような映写スクリーン保持枠構造体を提供しようとするものである。
【先行技術文献】
【特許文献】
【０００７】
【特許文献１】中国特許１８２５９２４号
【発明の概要】
【発明が解決しようとする課題】
【０００８】
本発明の主たる目的は、細めの枠体と美的外観とを有した映写スクリーン保持枠構造体を提供することである。
【課題を解決するための手段】
【０００９】
この保持枠構造体は、主枠体、外枠体、隙間、および複数の弾性部材を有している。主枠体は長方形であり、２本の横主枠ロッド、２本の縦主枠ロッド、４つのＬ形接続要素（Ｌ形接続部材）、および複数の主枠固定留具を有している。これら縦主枠ロッドは２本の横枠ロッドに接続され、映写スクリーンを広げた状態で主枠体に保持する。このＬ形接続要素は、２本の横主枠ロッドと２本の縦主枠ロッドの４つの接続部分にそれぞれ配置され、それら２本の横主枠ロッドと２本の縦主枠ロッドを接続する。主枠固定留具はＬ形接続要素、２本の横主枠ロッド、および２本の縦主枠ロッドと固定状態に接続される。外枠体は複数の外枠留具によって主枠体の周囲（外縁）に取り付けられ、２本の横外枠ロッドおよび２本の縦外枠ロッドで構成されている。２本の横外枠ロッドは２本の横枠ロッドおよびＬ形接続要素の対応する２つの外面にそれぞれ取り付けられる。２本の縦外枠ロッドは２本の縦主枠ロッドと、Ｌ形接続要素の対応する２つの外面にそれぞれ取り付けられる。外枠体と主枠体の間には隙間が形成され、スクリーンをその隙間に通す。弾性部材が主枠体と外枠体の間に挿入され、スクリーンの周囲（外縁）に接続するように主枠体に接続される。
【００１０】
本発明の他の目的、利点および新規な特徴は、添付の図面を参考にして、以下の詳細な説明からさらに明確になるであろう。
【図面の簡単な説明】
【００１１】
【図１】本発明による映写スクリーン保持枠構造体の第１実施例の分解状態の背面図である。
【図２】本発明による映写スクリーン保持枠構造体の第２実施例の分解状態の背面図である。
【図３】図１の保持枠構造体の拡大および分解状態の背面図である。
【図４】図１の保持枠構造体の別な拡大および分解状態の背面図である。
【図５】図１の保持枠構造体の主枠ロッドの拡大された端面図である。
【図６】図１の保持枠構造体のＬ形接続要素の拡大された背面図である。
【図７】図６のＬ形接続要素の側面図である。
【図８】図１の保持枠構造体のＬ形接続要素の別実施例の拡大された背面図である。
【図９】図８のＬ形接続要素の側面図である。
【図１０】図１の保持枠構造体の外枠ロッドの拡大された端面図である。
【図１１】図１の保持枠構造体の一部断面による拡大された側面図である。
【図１２】図１の保持枠構造体の一部断面による別な拡大された側面図である。
【図１３】図１の保持枠構造体の拡大された背面図である。
【図１４】図８のＬ形接続要素を備えた保持枠構造体の一部断面による拡大された側面図である。
【図１５】図８のＬ形接続要素を備えた保持枠構造体の拡大および分解された背面図である。
【図１６】Ｌ形接続要素を備えた図１の保持枠構造体の一部断面による拡大された側面図である。
【図１７】図１の保持枠構造体の拡大された背面図である。
【図１８】図１７の保持枠構造体の拡大された背面図である。
【図１９】図１８の保持枠構造体のＴ形接続部材の拡大された側面図である。
【図２０】図１の保持枠構造体の一部断面による拡大された側面図である。
【図２１】図１１の保持枠構造体の支持部材の拡大された正面図である。
【発明を実施するための形態】
【００１２】
図１と図２に示すように、本発明による映写スクリーン保持枠構造体は、主枠体１、外枠体２および複数の弾性部材３を含んでいる。
【００１３】
図１、図３および図４に示すように、主枠体１は、２本の横主枠ロッド１０Ａ、２本の縦主枠ロッド１０Ｂ、４つのＬ形接続要素１１、および複数の主枠固定留具１２を含んでいる。２本の横主枠ロッド１０Ａは互いに平行であり、２本の縦主枠ロッド１０Ｂはそれら２本の横主枠ロッド１０Ａの端部に接続されている。Ｌ形接続要素１１は、２本の横主枠ロッド１０Ａと２本の縦主枠ロッド１０Ｂの４つの接続部分にそれぞれ配置され、２本の横主枠ロッド１０Ａと２本の縦主枠ロッド１０Ｂを複数の主枠固定留具１２で接続し、長方形の主枠体１を形成する。
【００１４】
図１と図２に示すように、２本の横主枠ロッド１０Ａと２本の縦主枠ロッド１０Ｂの１本または２本は、それぞれの主枠ロッド１０Ａ、１０Ｂの長さに基づいて、１本の主ロッド要素または少なくとも１つの接続部材で互いに接続されている複数の主ロッド要素で構成されている。２本の横主枠ロッド１０Ａと２本の縦主枠ロッド１０Ｂのそれぞれ１本は、同じ断面形状を有した少なくとも１本の主ロッド要素１００を含んでいる。図１と、図３から図５に示すように、それぞれの主ロッド要素１００は、主ロッド本体１０１、外側縁部１０２、および内側縁部１０３を含んでいる。内側縁部１０３と外側縁部１０２は主ロッド本体１０１の２つの側部にそれぞれ形成されている。外側縁部１０２は映写スクリーン４の縁部を支持する形状に湾曲している。接続孔部１０５は主ロッド本体１０１内に設けられている。開口部１０６は内側縁部１０３に設けられている。
【００１５】
好適には、外側縁部１０２は主ロッド本体１０１の後側部から突き出ている。接続溝部１０７は、内側縁部１０３に隣接する位置にて主ロッド本体１０１の後側部に設けられており、外枠体２に接続する。接続フック部１０８は内側縁部１０３に隣接する位置にて主ロッド本体１０１の後側部に形成されている。保持スペース部１０９は、外側縁部１０２と接続フック部１０８との間で主ロッド本体１０１の後側部に設けられており、弾性部材３の１つを内部に保持する。
【００１６】
図４、図６および図７が示すように、それぞれのＬ形接続要素１１は、基部セグメント部（基部）１１０、２つの接続アーム部１１１、および支持セグメント部（支持部）１１２を含んでいる。基部セグメント部１１０は形状が正方形であり、前辺部、後辺部および内角部１１０２と外角部１１０１を有している。内角部１１０２と外角部１１０１は基部セグメント部１１０の対角線の２つの端にそれぞれ画定されている。接続アーム部１１１は内角部１１０２に隣接する基部セグメント部１１０の２つの側縁部１１０３にそれぞれ接続されており、主枠ロッド１０Ａ、１０Ｂの２つの主ロッド要素１００の接続孔部１０５の断面に対応する断面を有している。それぞれの接続アーム部１１１は少なくとも１つの螺子孔部１１１１を有する。支持セグメント部１１２は基部セグメント部１１０に形成され、基部セグメント部１１０の後側部から突き出ており、外角部１１０１から基部セグメント部１１０の内角部１１０２側に延び出ている。２つの螺子孔部１１０４は支持セグメント部１１２の両側でそれぞれ、基部セグメント部１１０の後側部に設けられている。
【００１７】
図８と図９に示すように、２つの接触突起部１１３が基部セグメント部１１０の後側部に形成されており、螺子孔部１１０４はそれら２つの接触部１１３にそれぞれ設けられている。基部セグメント部１１０は、側縁部１１０３にそれぞれ隣接する基部セグメント部１１０の後側部に形成されている整合線１１５と傾斜線１１６をさらに有している。この整合線１１５は、基部セグメント部１１０の対応する側縁部１１０３に直角である。傾斜線１１６は基部セグメント部１１０の対応する側縁部１１０３に対して４５°傾斜している。スプリングマウント（取付部）１１４が基部セグメント部１１０の後側部に形成されており、２つのスプリング孔部１１４１を有している。
【００１８】
図４、図６および図７に示すように、それぞれのＬ形接続要素１１は、隣接する横主枠ロッド１０Ａと縦主枠ロッド１０Ｂの間に取り付けられる。それぞれのＬ形接続要素１１の接続アーム部１１１は対応する主ロッド本体１０１の接続孔部１０５にそれぞれ挿入される。主枠固定留具１２は横主枠ロッド１０Ａと縦主枠ロッド１０Ｂの主ロッド本体１０１を通して取り付けられ、Ｌ形接続要素１１の螺子孔部１１１１で螺子留めされ、横主枠ロッド１０Ａと縦主枠ロッド１０ＢをＬ形接続要素１１で接続する。
【００１９】
図１、図４、図１０および図１１に示すように、外枠体２は複数の外枠留具２１によって主枠体１の周囲（外縁）に固定的に取り付けられ、２本の横外枠ロッド２０Ａと２本の縦外枠ロッド２０Ｂを含んでいる。横外枠ロッド２０Ａは互いに平行であり、それぞれ横主枠ロッド１０Ａと組み合わされる。縦外枠ロッド２０Ｂは、横外枠ロッド２０Ａの端部と接続され、縦主枠ロッド１０Ｂとそれぞれ組み合わされる。それぞれの外枠ロッド２０Ａ、２０Ｂは、それぞれ傾斜した端縁部を４５°の角度で有する２つの端部２０５Ａ、２０５Ｂを有する。それぞれの横外枠ロッド２０Ａのそれぞれの端部２０５Ａは、対応する長手方向の外枠ロッド２０Ｂの対応する端部２０５Ｂと接続され、外枠体２に直角の角部を形成する。
【００２０】
図１、図４および図１０から図１２に示すように、それぞれの外枠ロッド２０Ａ、２０Ｂは、同じ断面形状を有した１以上の外ロッド要素２００で構成されている。それぞれの外ロッド要素２００は外ロッド本体２０１、装飾ボード２０２、および接続ボード２０３を含んでいる。外ロッド本体２０１は前側部、後側部および２つの側縁部を有している。装飾ボード２０２と接続ボード２０３はそれぞれ外ロッド本体２０１に形成され、外ロッド本体２０１の前側部から突き出ている。装飾ボード２０２は外ロッド本体２０１の反対側（相対する側）に湾曲前端部を有している。接触セグメント部（接触部）２０４が装飾ボード２０２に隣接する位置にて外ロッド本体２０１の前側部に形成され、そこから突き出ている。接続ボード２０３は、対応する主枠ロッド１０Ａ、１０Ｂの接続溝部１０７内に挿入される。Ｌ形接続要素１１の支持セグメント部１１２は外枠ロッド２０Ａ、２０Ｂの端部に接触し、装飾ボード２０２と外側縁部１０２の間に隙間２０６を形成し、映写スクリーン４を隙間２０６に通す。
【００２１】
図８、図９および図１４に示すように、Ｌ形接続要素１１Ａの別実施例において、２つの接触部１１３はそれぞれ対応する外枠ロッド２０Ａ、２０Ｂの端部に接触する。外枠ロッド２０Ａ，２０Ｂを介して取り付けられる外枠留具２１は、接触突起部１１３に螺子孔部１１０４によって螺子留めされる。映写スクリーン４の側縁部がＬ形接続要素１１Ａの後側部に延びると、Ｌ形接続要素１１Ａの整合線１１５と傾斜線１１６は映写スクリーン４の角部に側縁部を整合するように適用できる。
【００２２】
図１３と図１６に示すように、外枠体２は、外枠体２の４つの角部にそれぞれ取り付けられる４つのＬ形の角部保護具２２をさらに含むことができ、２つの横外枠ロッド２０Ａと２つの縦外枠ロッド２０Ｂの端部２０５Ａ、２０５Ｂを角部保護具２２内に保持する。従って、鋭い端部２０５Ａ、２０５Ｂおよび端部２０５Ａ、２０５Ｂの間の隙間は角部保護具２２で囲むことができ、鋭い端部２０５Ａ、２０５Ｂは露出が防止される。
【００２３】
図１、図３および図１１で示すように、弾性部材３は主枠体１の主ロッド本体１０１と、外枠体２の外ロッド本体２０１の間に取り付けられ、隠される。好適には、それぞれの弾性部材３はスプリングまたは弾性の短冊体でよい。弾性部材３は主枠体１の保持スペース１０９内に保持される。それぞれの弾性部材３の一端は主枠ロッド１０Ａ、１０Ｂの対応する１つの接続フック部１０８に接続され、それぞれの他方の端部は映写スクリーン４の側縁部の１つに接続される。
【００２４】
図１と図２に示すように、主枠ロッド１０Ａ、１０Ｂの１本、または２本は複数の主ロッド要素１００と、少なくとも１つのＴ形接続部材１３を含むことができる。複数の支持ロッド１４は主枠ロッド１０Ａ、１０ＢのＴ形接続要素１３間にそれぞれ接続される。従って、主枠体１の構造強度は強化でき、主枠体１は長方形に確実に維持できる。
【００２５】
図１に示すように、第１実施例では、それぞれの横主枠ロッド１０Ａは２本の主ロッド要素１００とＴ形接続部材１３で構成される。支持ロッド１４は、２本の横主枠ロッド１０ＡのＴ形接続要素１３間に取り付けられる。図２に示すように、第２実施例においては、それぞれの横主枠ロッド１０Ａは３本の主ロッド要素１００と２つのＴ形接続部材３で構成される。２本の支持ロッド１４は２本の横主枠ロッド１０ＡのＴ形接続部材１３間に取り付けられる。主枠ロッド１０Ａ、１０Ｂが複数の主ロッド要素１００と、少なくとも１つのＴ形接続部材１３で構成されるとき、外枠体２の外枠ロッド２０Ａ、２０Ｂも連続して接続されている複数の外ロッド要素２００で構成され、外ロッド要素２００はＴ形接続部材にボルト１６によって接続される。
【００２６】
図１、図１７および図１９に示すように、それぞれのＴ形接続部材１３は主本体１３０と３本のアーム部１３１を含む。主本体１３０は長方形であり、４つの側縁部を有する。アーム部１３１はそれぞれ主本体１３０の４つの側縁部のうちの３つに形成され、そこから延び出ており、それぞれのアーム体１３１は少なくとも１つの留孔部１３１１を有する。３本のアーム部１３１は２本の両側のアーム部１３１と中央アーム部１３１を含む。両側のアーム部１３１はＴ形接続要素１３に接続されている主ロッド要素１００の２本の接続孔部１０５内にそれぞれ挿入される。複数の固定ボルト１５が主ロッド要素１００を通って取り付けられ、対応する主ロッド要素１００にＴ形接続部材１３を接続するように、Ｔ形接続部材１３の両側のアーム部１３１の留孔部１３１１内に螺子留めされる。中央のアーム部１３１は支持ロッド１４の対応するロッド内に挿入され、固定ボルト１５が対応する支持ロッド１４を通して取り付けられ、中央アーム部１３１の留孔部１３１１内に螺子留めされる。加えて、２つの支持突起部１３２が主本体１３０の後側部に形成され、そこから突き出る。それぞれの支持突起部１３２は螺子孔部を有する。ボルト１６が外枠ロッド２０Ａ、２０Ｂの外ロッド要素２００を通して取り付けられ、支持突起部１３２の螺子孔部内に螺子留めされ、外枠ロッド２０Ａ、２０ＢをＴ形接続要素１３に接続する。支持突起部１３２は外枠ロッド２０Ａ、２０Ｂに支持効果を提供することができる。
【００２７】
本発明の保持枠構造体は複数の構成部材に分離でき、それら構成部材は小型サイズに包装して運搬できる。従って、保持枠構造体の運搬と保管が便利になる。
【００２８】
図１、図３および図１６に示すように、保持枠構造体が使用されているとき、映写スクリーン４は主枠体１の前側部上にカバーされており、映写スクリーン４の側縁部は主枠ロッド１０Ａ、１０Ｂの外側縁部１０２の湾曲面１０４に沿って湾曲している。図１５に示すように、映写スクリーン４の側縁部はＬ形接続要素１１Ａの整合線１１５および傾斜線１１６と整合できる（一列に並ぶ）。図３、図１４および図１５に示すように、映写スクリーン４の側縁部に接続された弾性部材３はＬ形接続要素１１Ａの主枠体１の接続フック部１０８およびスプリングマウント１１４に接続されている。従って、映写スクリーン４は弾性部材３によって提供された弾性的な張りによって主枠体１上で完全に広がることができる。
【００２９】
加えて、外枠ロッド２０Ａ、２０Ｂの接続ボード２０３は前もって主枠ロッド１０Ａ、１０Ｂの接続溝部１０７内に挿入できる。それから外枠ロッド２０Ａ、２０Ｂは外枠留具２１によってＬ形接続要素１１の基部セグメント部に確実に接続される。従って、外枠体２の主枠体１との組み合わせは便利である。
【００３０】
図１１と図２１に示すように、保持枠構造体は複数の支持部材４０をさらに含むことができる。それぞれの支持部材４０は、主セグメント部（主体部）４１、接触セグメント部（接触部）４２および固定セグメント部（固定部）４３を含んでいる。接触セグメント部４２は主セグメント部４１の両側の側縁部の１つに形成され、そこから上方に延び、対応する主ロッド要素１００の開口部１０６内に延び入り、対応する主ロッド要素１００の主ロッド本体１０１の内面に接触する。固定セグメント部４３は接触セグメント部４２の反対側（相対する側）で主セグメント部４１の他方の側縁部に形成され、そこから下方に延び、複数の固定貫通孔部４４を有する。複数のボルトが支持部材の固定貫通孔部４４を通って取り付けられ、壁部または支持枠体と確実に接続され、保持枠構造体は壁部または支持枠体上に確実に取り付けられる。
【００３１】
本発明による保持枠構造体は保持枠構造体上で軟らかな映写スクリーン４を完全に広げることができる。さらに、保持枠構造体は強化された構造強度を有し、簡単には変形しない。加えて、湾曲した前端部を有した装飾ボードの構成によって、保持枠は細枠構造を有し、よって保持枠構造体の外観は品があり、魅力的なものとなる。
【００３２】
さらに、保持枠構造体は隙間２０６を有しており、映写スクリーン４を隙間２０６に通すことができる。主枠体１の枠ロッド１０Ａ、１０ＢとＬ形接続要素１１との間の接続、および外枠体２の枠ロッド２０Ａ、２０ＢとＬ形接続要素１１の間の取り付けで、枠ロッド１０Ａ、１０Ｂ、２０Ａ、２０Ｂは映写スクリーン４に圧力を加えず、映写スクリーン４は主枠体１および外枠体２によるダメージ（損傷）を受けない。弾性部材３は映写スクリーン４に十分な張りを提供でき、映写スクリーン４を完全およびスムーズに広げることができる。弾性部材３は主枠体１と外枠体２の間に隠され、保持枠構造体の美観は強化されている。
【００３３】
本発明の多数の特徴および利点を本発明の構造および機能の詳細と共に解説したが、この開示は単に説明のためであり、それらの変更は細部において可能であり、特に、添付の請求の範囲を表わしている用語の広い一般的な意味により示される最大の範囲にまで本発明の原理内で構成部材の形状、サイズおよび構成における変更が可能である。
【図１】
2019128579.tif 000003
【図２】
2019128579.tif 000004
【図３】
2019128579.tif 000005
【図４】
2019128579.tif 000006
【図５】
2019128579.tif 000007
【図６】
2019128579.tif 000008
【図７】
2019128579.tif 000009
【図８】
2019128579.tif 000010
【図９】
2019128579.tif 000011
【図１０】
2019128579.tif 000012
【図１１】
2019128579.tif 000013
【図１２】
2019128579.tif 000014
【図１３】
2019128579.tif 000015
【図１４】
2019128579.tif 000016
【図１５】
2019128579.tif 000017
【図１６】
2019128579.tif 000018
【図１７】
2019128579.tif 000019
【図１８】
2019128579.tif 000020
【図１９】
2019128579.tif 000021
【図２０】
2019128579.tif 000022
【図２１】
2019128579.tif 000023